(57)【要約】      （修正有）【課題】ディスクトレーと、該ディスクトレーを固定した透明な下蓋と、該下蓋に開閉可能に軸支された上蓋とからなり、ディスクトレーと下蓋との間の隙間に介挿された下インデックスカードの端部が、下蓋の端壁の内面に沿って上方へ折り曲げられて背表紙部を形成して、背表紙部の視認性を高めてなるディスク収納ケースを提供する。【解決手段】下蓋４の端壁１１を、その上端縁部１１ｃが、ディスクトレー３の端部領域１０の外端縁部１１ｄにスリットＳを介して対向する態様で端部領域１０の上面１０ａとほぼ同じ高さに達するように形成し、スリットＳに、下インデックスカード１４の背表紙部１４ａの上端を挿入する。【選択図】図１
2006256629.tif 000002
【特許請求の範囲】
【請求項１】
ディスクトレーと、該ディスクトレーを固定した透明な下蓋と、該下蓋に開閉可能に軸支された上蓋とからなる扁平なディスク収納ケースであって、
前記ディスクトレーが、前記ケースの閉状態において前記上蓋の主面とほぼ同じ高さとなる態様で該主面に隣接して上方に露呈する上面を有して前記下蓋の開閉軸線側端壁に沿って延びる細長い端部領域を備え、前記ディスクトレーと前記下蓋との間の隙間に介挿された下インデックスカードの端部が、前記下蓋の開閉軸線側端壁の内面に沿って上方へ折り曲げられて背表紙部を形成してなるディスク収納ケースにおいて、
前記下蓋の開閉軸線側端壁を、その上端縁部が、前記ディスクトレーの端部領域の外端縁部にスリットを介して対向する態様で前記ディスクトレーの端部領域の上面とほぼ同じ高さに達するように形成し、前記スリットに、前記下インデックスカードの前記背表紙部の上端を挿入したことを特徴とするディスク収納ケース。
【請求項２】
前記ディスクトレーの端部領域における外端縁部の前記スリットに臨む面を、前記スリットの幅を下方に向かって広げる斜面または円弧面に形成したことを特徴とする請求項１記載のディスク収納ケース。
【請求項３】
前記ディスクトレーの端部領域の下面に、前記下蓋の内底面上の前記下インデックスカードに下端が接し得る支持脚を垂設したことを特徴とする請求項１または２記載のディスク収納ケース。
【発明の詳細な説明】
【技術分野】
【０００１】
本発明は、ディスク収納ケースに関し、特に、ＣＤ，ＤＶＤ等の記録媒体ディスクを収納するディスク収納ケースに関するものである。
【背景技術】
【０００２】
従来、図２の分解斜視図に示すように、一般に使用されている３部品からなる厚さ１０ｍｍの扁平なディスク収納ケース１′は、ディスク（図示せず）の中心孔に嵌合してディスクを着脱自在に支持するディスククランパ２を上面の中心部に備えたプラスチック材料からなるディスクトレー３と、平坦な主面（広い面積の外表面）４ａを備えてディスクトレー３を着脱可能に収容固定した透明なプラスチック材料からなる下蓋４と、この下蓋４に対し、平坦な主面５ａを備えかつ軸線Ｌの周りで開閉可能に下蓋４に軸支された透明なプラスチック材料からなる上蓋５とから構成されている。
【０００３】
上蓋５は、その両側壁５ｂ，５ｂの一端に延設されたヒンジアーム５ｃ，５ｃのそれぞれの内側に突出する短い軸６を備えており、これら軸６，６が下蓋４の側壁４ｂ，４ｂの端部に軸線Ｌに沿って形成された軸孔７，７にそれぞれ嵌合することにより、上蓋５が軸線Ｌの周りで開閉可能に下蓋４に軸支されている。
【０００４】
上記ディスクトレー３は、図２の３−３線に沿った位置での要部拡大断面図に示すように、ケース１′の閉状態において上蓋５の主面５ａとほぼ同じ高さとなる態様で主面５ａに隣接して上方に露呈する上面１０ａを有して下蓋４の軸線Ｌ側端壁１１に沿って延びる細長い端部領域１０を備えている。この端部領域１０の外端縁部１０ｂは、下蓋４の軸線Ｌ側端壁１１の上端面１１ａ上に当接支持されている。
【０００５】
上蓋５の裏面には上インデックスカード１２が複数の押さえ舌片（図示は省略）によって着脱可能に保持され、また、ディスクトレー３の底面３ａと下蓋４の内底面４ｃとの間の隙間１３には下インデックスカード１４が介挿されている。そして、この下インデックスカード１４のディスクトレー端部領域１０側の端部が、下蓋４の軸線Ｌ側端壁１１の内面１１ｂに沿って上方へほぼ直角に折り曲げられて、透明な端壁１１を通して外部から視認することができる背表紙部１４ａを形成している。
【０００６】
ところで、このような構成を有する厚さ１０ｍｍのディスク収納ケース１′における下インデックスカード１４の背表紙部１４ａの幅（高さ）ｈ′は、下蓋４の内底面４ｃからの端壁１１の高さに制限されて、僅か６ｍｍ前後しかなく、記載された内容が非常に読取りにくいという問題があった。また多数のケースを重ねたり、ラック内に並べて収容したりする場合には、上蓋５内に保持されている上インデックスカード１２も、下インデックスカード１４の下蓋主面４ａ側の部分も見えなくなるので、視認性の悪さは尚更であった。
【０００７】
この問題を解決すべく、例えば特許文献１には、下インデックスカードの背表紙部の外側の下蓋端壁を凸レンズにした光ディスクケースが記載されているが、この構成では、ディスクケースの外形を変更せざるを得ないという問題があり、かつ他の標準ケースと並べて保存する際に収まりが悪いという欠点もあった。
【０００８】
さらに、生産時には凸レンズ部が金型の構成上アンダーカットと呼ばれる複雑な構造となり、かつ成形時にも生産性の低下となる問題がある。
【特許文献１】特開２００４−９１０４２号公報
【発明の開示】
【発明が解決しようとする課題】
【０００９】
上述の事情に鑑み、本発明は、ケースの外形を変更することなしに、下インデックスカードの背表紙部の視認性を改良したディスク収納ケースを提供することを目的とするものである。
【課題を解決するための手段】
【００１０】
本発明によるディスク収納ケースは、下蓋に固定されるディスクトレーが、ケースの閉状態において上蓋の主面とほぼ同じ高さとなる態様で該主面に隣接して上方に露呈する上面を有して下蓋の開閉軸線側端壁に沿って延びる細長い端部領域を備え、上記ディスクトレーと上記下蓋との間の隙間に介挿された下インデックスカードの端部が、下蓋の開閉軸線側端壁の内面に沿って上方へ折り曲げられて背表紙部を形成してなるディスク収納ケースにおいて、
下蓋の開閉軸線側端壁を、その上端縁部が、ディスクトレーの端部領域の外端縁部にスリットを介して対向する態様でディスクトレーの端部領域の上面とほぼ同じ高さに達するように形成し、上記スリットに、上記下インデックスカードの背表紙部の上端を挿入したことを特徴とするものである。
【００１１】
この場合、上記ディスクトレーの端部領域における外端縁部の上記スリットに臨む面を、このスリットの幅を下方に向かって広げる斜面または円弧面にすることが好ましい。
【００１２】
また、上記ディスクトレーの端部領域の下面に、下蓋の内底面上の下インデックスカードに下端が接し得る支持脚を垂設することが好ましい。
【００１３】
なお、本明細書における「上下」、「高さ」および「水平方向」は、ディスク収納ケースの閉状態で、すなわち上蓋が下蓋に被せられた状態で、下蓋の主面をほぼ水平な面上に載置した場合を基準としている。
【発明の効果】
【００１４】
本発明によれば、下蓋の開閉軸線側端壁を、その上端縁部が、ディスクトレーの端部領域の外端縁部にスリットを介して対向する態様でディスクトレーの端部領域の上面とほぼ同じ高さに達するように形成し、上記スリットに、上記下インデックスカードの背表紙部の上端を挿入したことにより、厚さ１０ｍｍのケースにおいて従来６ｍｍ前後であった下インデックスカードの背表紙部の高さが８〜９ｍｍ取れるようになり、特に多数のケースを重ねたり、ラック内に並べて収容したりする場合の背表紙部の視認性を著しく向上させることができる。
【００１５】
また、ディスクトレーの端部領域における外端縁部の上記スリットに臨む面を、このスリットの幅を下方に向かって広げる斜面または曲面とした場合には、ケースの組立て時に、上記端部領域の上記スリットに臨む外端縁が下インデックスカードの背表紙部に引っ掛かりにくくなる利点がある。
【００１６】
さらに、ディスクトレーの端部領域の下面に、下蓋の内底面上の下インデックスカードに下端が接し得る支持脚を垂設した場合には、多数のケースが積み重ねられたとき、あるいはディスクトレーの端部領域に上方から荷重が掛かったとき等において、支持脚の下端が下インデックスカードを介して下蓋内底面で受けられるから、端部領域が大きく撓んで破壊されるのを防止することができるとともに、下インデックスカードの端部が浮き上がって背表紙部が上記スリットからはみ出すのを防止することもできる。
【発明を実施するための最良の形態】
【００１７】
以下、図面を参照して本発明の実施の形態についた詳細に説明する。
【００１８】
図１は、本発明によるディスク収納ケースの図３に対応する要部拡大断面図を示し，図３に対応する部分には同一符号を付して、重複する説明は省略する。
【００１９】
このディスク収納ケース１も、図３に示す従来のディスク収納ケース１′と同様に、そのディスクトレー３が、ケース１の閉状態において上蓋５の主面５ａとほぼ同じ高さとなる態様で主面５ａに隣接して上方に露呈する上面１０ａを有する細長い端部領域１０を備えているが、本実施の形態のディスク収納ケース１においては、ディスクトレー３の端部領域１０は、その外端縁部１０ｃが、下蓋４の軸線Ｌ側端壁１１の内側に来るように、水平方向（図１の左右方向）の幅が従来よりも狭く形成されている。
【００２０】
一方、下蓋４の端壁１１は、その上端縁部１１ｃが、ディスクトレー３の端部領域１０の上面１０ａとほぼ同じ高さに達するようにより高く形成され、かつこの上端縁部１１ｃと、ディスクトレー３の端部領域１０の外端縁部１０ｃとの間に、下インデックスカード１４の背表紙部１４ａの上端が挿入可能なスリットＳが形成されている。
【００２１】
したがって、下インデックスカード１４の背表紙部１４ａは、その上端がスリットＳに挿入されるように高さ寸法ｈを、図３における従来の高さ寸法ｈ′よりも約５０％程度増大させることができる。すなわち、厚さ１０ｍｍのケースにおいて従来６ｍｍ前後であった下インデックスカードの背表紙部の高さが８〜９ｍｍ取れるようになり、特に多数のケースを重ねたり、ラック内に並べて収容したりする場合の背表紙部１４ａの視認性を著しく向上させることができる。
【００２２】
ディスクトレー３の端部領域１における外端縁部１０ｃのスリットＳに臨む面１７は、スリットＳの幅を下方に向かって広げる斜面または円弧面を形成している。これによって、ケース１の組立て時に、端部領域１０のスリットＳに臨む外端縁が下インデックスカード１４の背表紙部１４ａの上端に引っ掛かりにくくなる利点がある。
【００２３】
また、下蓋４の端壁１１における上端縁部１１ｃの外側の角も、斜面または円弧面を形成していることが好ましく、これによって、ケース１の落下時または衝突時の衝撃を和らげることができる。
【００２４】
下インデックスカード１４の背表紙部１４ａの上端部が挿入される上記スリットＳの最も狭い部分の幅Ｗは、組立て性の点では広い方が望ましいが、防塵性の点では狭い方が望ましい。すなわち、下インデックスカード１４の厚さｔ（０．１２ｍｍ〜０．１５ｍｍ程度）に対して、上記幅Ｗが１．５ｔ以上６ｔ以下であることが好ましく、２ｔ以上４ｔ以下が最も好ましい。
【００２５】
さらに、ディスクトレー３の端部領域１０の下面１０ｄには、下蓋内底面４ｃ上に広がる下インデックスカード１４に接し得る長さを有する支持脚２０が垂設されている。この支持脚２０は、多数のケースが積み重ねられたとき、あるいはディスクトレーの端部領域に上方から荷重が掛かったとき等において、支持脚２０の下端面２０ａが下インデックスカード１４を介して下蓋内底面４ｃで受けられるように設けられるもので、これによって、上記荷重により端部領域１０が大きく撓んで破壊されるのを防止することができる。その意味から、支持脚２０は、端部領域１０の図１における左右方向の幅の中央よりも下蓋端壁１１側寄りに形成されるのが好ましい。また、支持脚２０は、下インデックスカード１４の下蓋端壁１１側の端部が浮き上がって背表紙部１４ａの上端がスリットＳからはみ出すのを阻止する作用をも有する。
【図面の簡単な説明】
【００２６】
【図１】本発明によるディスク収納ケースの実施の形態を示す要部の拡大断面図である。
【図２】閉状態における従来のディスク収納ケースの概略的分解斜視図である。
【図３】従来のディスク収納ケースの要部の拡大断面図である。
【符号の説明】
【００２７】
１，１′    ディスク収納ケース
３    ディスクトレー
４    下蓋
５    上蓋
１０    ディスクトレーの端部領域
１１    下蓋の端壁
１２    上インデックスカード
１４    下インデックスカード
１４ａ    下インデックスカードの背表紙部
２０    支持脚
Ｓ    スリット
Ｌ    軸線
【図１】
2006256629.tif 000003
【図２】
2006256629.tif 000004
【図３】
2006256629.tif 000005